(57)【要約】【課題】化粧パネルの意匠性を向上させた天井埋込型空気調和機を提供する。【解決手段】ユニット本体２の下側に化粧パネル７が取り付けられ、熱交換器２１で熱交換した空気を化粧パネル７の吹出口４から室内へ送り出す天井埋込型空気調和機において、化粧パネル７は、ユニット本体２に取り付けられた基部４９と、上下に移動可能に構成され、運転停止中には基部４９との間で吸込口３を隠す一方、運転中には基部４９の下方に位置して化粧パネル７の室内面に吸込口３を表出させるフラットパネル５０とで構成されている。【選択図】図４
2008209099.tif 000002
【特許請求の範囲】
【請求項１】
ユニット本体の下側に化粧パネルが取り付けられ、熱交換器で熱交換した空気を前記化粧パネルの吹出口から室内へ送り出す天井埋込型空気調和機において、
前記化粧パネルは、前記ユニット本体に取り付けられた基部と、上下に移動可能に構成され、運転停止中には前記基部との間で吸込口を隠す一方、運転中には前記基部の下方に位置して前記化粧パネルの室内面に吸込口を表出させるフラットパネルとで構成されていることを特徴とする天井埋込型空気調和機。
【請求項２】
前記フラットパネルの上方に配設され、上方向に押圧されたときにラッチが解除されるラッチ機構によって前記ユニット本体側に取り付けられたフィルタを備えることを特徴とする請求項１に記載の天井埋込型空気調和機。
【請求項３】
前記フラットパネルには、前記フィルタを上方向に押圧し、前記ラッチが解除された後のフィルタを支持するための押圧支持部が形成されていることを特徴とする請求項２に記載の天井埋込型空気調和機。
【請求項４】
前記押圧支持部及び前記フィルタには、上方向に押されたときにラッチされる第２のラッチ機構が設けられていることを特徴とする請求項３に記載の天井埋込型空気調和機。
【請求項５】
前記フラットパネルを吊り下げる吊紐と、この吊紐を昇降させることによって前記フラットパネルを昇降させる昇降機構とを備えたことを特徴とする請求項１から請求項４のいずれか１つに記載の天井埋込型空気調和機。
【請求項６】
前記フラットパネルは、フィルタ清掃および／またはフィルタ交換時に、運転中の位置よりもさらに下側に移動することを特徴とする請求項２から請求項５のいずれか１つに記載の天井埋込型空気調和機。
【発明の詳細な説明】
【技術分野】
【０００１】
本発明は、化粧パネルに吸込口及び吹出口を備えた天井埋込型空気調和機に関する。
【背景技術】
【０００２】
一般的な天井埋込型空気調和機は、送風機、熱交換器などを収納するユニット本体を備え、このユニット本体は、室内の天井に設けた開口部から挿入されて、天井の裏側のスペースに吊り金具を用いて取り付けられている。このユニット本体を取り付けた後には、天井の開口部を下側から塞ぐように、ユニット本体の下側に化粧パネルが取り付けられる。この化粧パネルには、４方向に位置する吹出口と、この吹出口で囲まれた中央部に吸込グリルが設けられており、この吸込グリルには吸込口が設けられている。この吸込口から吸い込まれた室内空気が熱交換器で熱交換された後に吹出口から送り出されるようになっている。
【０００３】
また、上述の天井埋込型空気調和機では、吸込口の裏側を覆うようにフィルタが配置されており、このフィルタの掃除および／またはフィルタの交換するときに、吸込グリルを下側に降下させて、フィルタの掃除および／またはフィルタの交換作業を容易にしたものがある。この吸込グリルは、室内空気を取り込む吸込口を備えており、フィルタの掃除および／またはフィルタの交換時にのみ吸込グリルが下側に降下するようになっている（例えば、特許文献１参照）。
【特許文献１】特開２００４−１３８２６１号公報
【発明の開示】
【発明が解決しようとする課題】
【０００４】
しかしながら、上述した吸込グリルに形成した吸込口は、吸い込んだ室内空気によって汚れが付き易く、吸込グリルの隙間からフィルタに付着した埃やゴミが見えるおそれがあり、また吸込グリルの形状も複雑であることから、室内側から見て化粧パネルの意匠性を損なうものであった。
【０００５】
本発明は、上述した事情に鑑みてなされたものであり、化粧パネルの意匠性を向上させることができる天井埋込型空気調和機を提供することを目的とする。
【課題を解決するための手段】
【０００６】
本発明では、ユニット本体の下側に化粧パネルが取り付けられ、熱交換器で熱交換した空気を前記化粧パネルの吹出口から室内へ送り出す天井埋込型空気調和機において、前記化粧パネルは、前記ユニット本体に取り付けられた基部と、上下に移動可能に構成され、運転停止中には前記基部との間で吸込口を隠す一方、運転中には前記基部の下方に位置して前記化粧パネルの室内面に吸込口を表出させるフラットパネルとで構成されていることを特徴とする。
この構成によれば、天井埋込型空気調和機の運転中にのみ吸込口が室内側に表出することになる。また、化粧パネル（基部及びフラットパネル）の表面の形状を複雑にすることがない。
【０００７】
また、前記フラットパネルの上方に配設され、上方向に押圧されたときにラッチが解除されるラッチ機構によって前記ユニット本体側に取り付けられたフィルタを備えることもできる。
この構成によれば、フィルタを掃除および／または交換する際に、フィルタを容易に取り外すことができる。
【０００８】
さらに、前記フラットパネルには、前記フィルタを上方向に押圧し、前記ラッチが解除された後のフィルタを支持するための押圧支持部が形成されていてもよい。
この構成によれば、フィルタを押圧することができるとともに、本体側から取り外されたフィルタをフラットパネルで支持することができる。
【０００９】
また、前記押圧支持部及び前記フィルタには、上方向に押されたときにラッチされる第２のラッチ機構が設けられていてもよい。
この構成によれば、本体側から取り外されたフィルタをフラットパネルで保持することができる。
【００１０】
他方、前記フラットパネルを吊り下げる吊紐と、この吊紐を昇降させることによって前記フラットパネルを昇降させる昇降機構とを備えていてもよい。
この構成によれば、フラットパネルを容易に上下に移動させることができる。
【００１１】
また、前記フラットパネルは、フィルタ清掃および／またはフィルタ交換時に、運転中の位置よりもさらに下側に移動するようにしてもよい。
この構成によれば、フィルタの掃除および／または交換がし易い下側の位置でフィルタを交換することができる。なお、ここでフィルタとは、網目状の板材の単品、もしくはこの板材の単品を補強するために、この単品の周りを枠状部材で囲んだフィルタ枠材のいずれであってもよい。
【発明の効果】
【００１２】
本発明によれば、ユニット本体の下側に化粧パネルが取り付けられ、熱交換器で熱交換した空気を前記化粧パネルの吹出口から室内へ送り出す天井埋込型空気調和機において、
前記化粧パネルは、前記ユニット本体に取り付けられた基部と、上下に移動可能に構成され、運転停止中には前記基部との間で吸込口を隠す一方、運転中には前記基部の下方に位置して前記化粧パネルの室内面に吸込口を表出させるフラットパネルとで構成されているので、運転停止中に吸込口が室内側から見えないようにすることができ、運転停止中に室内側から化粧パネルを見たときに、化粧パネルの全体をすっきりとした形状に見せることができる。また、フラットパネルで構成しているので、さらに全体をすっきりとしたスリムな印象を与えることができる。これらにより、化粧パネルの意匠性を向上させることができる。また、運転中には、吸込口が形成されるため、従来と同様の空調運転を行うことができる。さらに、運転停止中に室内側から吸込口が見えないので、吸込口が汚れていたとしても化粧パネル全体の見栄えを悪くすることがない。
【００１３】
また、前記フラットパネルの上方に配設され、上方向に押圧されたときにラッチが解除されるラッチ機構によって前記ユニット本体側に取り付けられたフィルタを備えることにより、フィルタを掃除および／または交換する際に、フィルタを上方に押圧するこによって容易にフィルタを取り外すことができ、利便性が向上する。また、フィルタ等の自重をラッチ機構によって保持することができる。なお、ここでフィルタとは、網目状の板材の単品、もしくはこの板材の単品を補強するために、この単品の周りを枠状部材で囲んだフィルタ枠材のいずれであってもよい。
【発明を実施するための最良の形態】
【００１４】
以下、本発明の実施の形態に係る天井埋込型空気調和機の化粧パネルについて、図面を参照しながら説明する。図１は、４方向天井カセット形の空気調和機の室内機の側部断面図を示す。
【００１５】
天井埋込型空気調和機１は、天井内部に収納される板金製のユニット本体２（図１参照）と、このユニット本体２に下側から取り付けられ、外周部の四辺に吹出口４を有する化粧パネル７とを備えている。このユニット本体２は、天井梁に吊下げボルト２４によって吊下げられている。
【００１６】
ユニット本体２内部には、その中央部に送風機１１が設けられている。この送風機１１は、ターボファン１２と、天板１３に取り付けられたファン用モータ１４とで構成されている。また、送風機１１の下側には、詳細は後述する吸込口３（図２（ｂ）参照）から吸い込んだ室内空気をターボファン１２に案内するノズル口１５が設けられている。
【００１７】
ターボファン１２の吐出側には、このターボファン１２を取り囲むように環状に配置されたプレートフィン型の熱交換器２１が配設されている。また、この熱交換器２１の下側には、熱交換器２１から排出されるドレイン水を受けるための、発泡スチロール製のドレンパン１６が配置されている。
熱交換器２１から吹出口４に至る間には、熱交換器２１で熱交換された空気を吹出口４へ導く導風部２３が形成されている。また、ユニット本体２の外周面には、熱交換後の空気による結露を防止するための断熱材２２が巻付けられている。
【００１８】
図２（ａ）は天井埋込型空気調和機の運転停止時の状態を室内側から見た斜視図、図２（ｂ）は運転中の状態の斜視図、図２（ｃ）はフィルタ交換時の状態の斜視図を示す。
化粧パネル７は、図２（ａ）〜図２（ｃ）に示すように、略４角形状に形成されており、４辺に沿った枠状に形成された基部４９と、この基部に囲まれた部分に位置するフラットパネル５０とで構成されている。この基部４９は、４辺に沿って４つの吹出口４が設けられており、ユニット本体２に固定されている。
【００１９】
フラットパネル５０は、略４角形（正方形）の形状をなしており、表面及び裏面が平坦な面をなす１枚の板状に形成されている。このフラットパネル５０の表面５０ａ（室内側と接する面。化粧面）は、天井面と略平行になるように取り付けられている。また、フラットパネル５０の４つの辺の縁部には、上方に向けた立ち上がり部５０ｃ（図４及び図５参照）がそれぞれ形成されている。
一方、基部４９の表面４９ａ（室内側と接する面。化粧面）は、４辺の外縁部からフラットパネル５０の立ち上がり部５０ｃに向かうに従い室内側（下側）へ向かって傾斜する緩やかな曲面を有している。このフラットパネル５０の表面５０ａと基部４９の表面４９ａとは、運転停止時の状態では、図２（ａ）に示すように、室内側から見て段差が目立たないようになっている。より詳細には、基部４９の表面４９ａ、フラットパネル５０の立ち上がり部５０ｃ、及びフラットパネル５０の表面５０ａによって吸込口３（図２（ｂ）及び図６参照）が隠れるようにしており、この表面５０ａが、基部４９の表面４９ａと連続するように見せている。
【００２０】
このフラットパネル５０の表面５０ａと、基部４９の表面４９ａとは、ほぼ同一面となるように構成することにより、表面５０ａと表面４９ａとの段差を設けないようにすることが好ましい。立ち上がり部５０ｃは、この間に隙間（吸込口３）が形成されないようにするものであり、表面５０ａと表面４９ａとを同一面とすることにより、立ち上がり部５０ｃを不要としてもよい。
【００２１】
図３は、基部４９とフラットパネル５０の取付けを示す分解斜視図である。
フラットパネル５０の上側（ユニット本体２側）には、図３に示すように、フィルタ載置フレーム６０と、このフィルタ載置フレーム６０の上方から取り付けられるフィルタ７０とが設けられている。
【００２２】
フラットパネル５０の裏面５０ｂ（ユニット本体２側の面）には、図３に示すように、対向する２辺にそれぞれ２つ（合計４つ）設けられた滑車５１と、この裏面５０ｂの４隅から上方に向けてそれぞれ延びる４つの略円柱形状の位置決め突部５２と、この位置決め突部５２の近傍にそれぞれ１つ（合計４つ）設けられた小ラッチ５３（第２のラッチ機構）とを備えている。
この滑車５１には、図３に示すように、詳細は後述する吊紐３１がそれぞれ巻き掛けられるようになっており、この吊紐３１によってフラットパネル５０が下方に吊り下げられている。
【００２３】
フィルタ載置フレーム６０は、図３に示すように、フラットパネル５０と同様に略正方形の形状をなしており、その中央部に開口部６１が形成されている。この開口部６１の４隅には、フラットパネル５０の位置決め突部５２の位置に対応し、フィルタ載置フレーム６０の上側面から上方に向けて突出するガイド部６２が設けられている。このガイド部６２は、円筒形状をなしており、このガイド部６２の内部を位置決め突部５２が上下に移動可能になっている一方、このガイド部６２の内周面が位置決め突部５２の外周面と接することによって、位置決め突部５２の水平方向の位置が決定されるようになっている。
【００２４】
また、フィルタ載置フレーム６０の下側面には、フラットパネル５０の小ラッチ５３と対応する位置に、小ラッチ５３と接続又は離脱する小ラッチ受け部６３（図４、図６及び図７参照）が設けられている。さらに、フィルタ載置フレーム６０の上側面の４隅には、上方に向けて突出する大ラッチ６４（ラッチ機構）が設けられている。また、フィルタ載置フレーム６０の開口部６１の内側には、フィルタ支持部６５が形成されており、開口部６１とほぼ同形状に形成されたフィルタ７０がフィルタ載置フレーム６０の上側から載置されたときに、このフィルタ支持部６５がフィルタ７０を支持するようになっている。さらに、このフィルタ載置フレーム６０には、フラットパネル５０を吊り下げるための吊紐３１を通すための穴部６６が４つ形成されている。
【００２５】
なお、上述の構成では、フィルタ載置フレーム６０とフィルタ７０とを別体で構成しているが、このフィルタ載置フレーム６０は、フィルタ７０と一体にして構成（フィルタ部材として構成）することもできる。
【００２６】
化粧パネル７には、フィルタ載置フレーム６０の大ラッチ６４と対応する位置に、大ラッチ６４と接続又は離脱する大ラッチ受け部８１が設けられている。また、化粧パネル７には、フラットパネル５０を吊り下げるための吊紐３１を通すための穴部８２（図４参照）が４つ形成されている。
【００２７】
上述した小ラッチ５３及び小ラッチ受け部６３、及び大ラッチ６４及び大ラッチ受け部８１は、どちらも接続又は離脱する構造において同じ機能を有している。詳細には、大ラッチ６４について説明すると、大ラッチ６４が大ラッチ受け部８１に下側から押圧されて押し込まれたとき、内部に設けられた係合部がラッチして、大ラッチ６４と大ラッチ受け部８１とが接続されるようになる。また、再び下側から大ラッチ６４を押圧すると、内部に設けられた係合部のラッチが外れ、大ラッチ６４と大ラッチ受け部８１とが離脱するようになる。
【００２８】
他方、図３に示すように、対向する２辺にそれぞれ設けられた２本の吊紐３１は、両端部が上方に向けられている。この吊紐３１の両端部は、それぞれ図示しない昇降機構に接続されている。この昇降機構は、ユニット本体２に内蔵されており、図示しない駆動部を備えており、この駆動部によって駆動され、この吊紐３１の他端部を下側に繰り出し、或いは上側に巻き戻すことにより、フラットパネル５０を所定の範囲で昇降するようにしている。また、この昇降機構には、図示しない制御基板が収納されており、停止時（図２（ａ）参照）、運転時（図２（ｂ）参照）、及びフィルタ交換時（図２（ｃ）参照）の昇降動作をそれぞれ制御可能に構成されている。すなわち、吊紐３１の両端に昇降機構を設け、吊紐３１の両方を繰り出したり、巻き戻したりする構造である。
【００２９】
次に本発明の実施の形態に係る天井埋込型空気調和機の作用について、図４〜図７を用いて説明する。図４は、運転停止時におけるフラットパネル部分の断面図、図５は、図４のＡ部拡大図、図６は、運転時（図２（ｂ）の状態）におけるフラットパネル部分の断面図、図７はフィルタ交換時（図２（ｃ）の状態）におけるフラットパネル部分の断面図を示す。
【００３０】
図４及び図５に示す状態は、大ラッチ６４及び大ラッチ受け部８１、小ラッチ５３と小ラッチ受け部６３とがラッチしている状態である。ゆえに、この状態では、フラットパネル５０、フィルタ載置フレーム６０、フィルタ７０は、吊紐３１によって吊り下げられた状態ではなく、大ラッチ６４及び小ラッチ５３とで保持された状態になっている。また、この図４に示す状態では、位置決め突部５２がガイド部６２の内部に位置するため、フィルタ載置フレーム６０とフラットパネル５０との左右の位置決めがされた状態になっている。
【００３１】
図４の運転停止状態から、図６の運転時の状態に移行するときの動作について説明する。まず、昇降機構を用いて、吊紐３１を上方へ巻き戻し、フラットパネル５０を図５に示すＬ１寸法（小ラッチ５３のラッチが解除されるストローク）分だけ上方へ持ち上げる。これにより、小ラッチ５３のラッチが解除されることになる。なお、図５において、Ｌ２寸法は、大ラッチ６４のラッチが解除されるストロークを示すが、Ｌ１寸法はＬ２寸法よりも小さいため、大ラッチ６４が解除されることなく、小ラッチ５３を解除することができる。
【００３２】
小ラッチを解除した状態で、昇降機構を用いて、吊紐３１を下方へ繰り出し、図６に示すＬ３寸法（吸込口３の上下寸法。約３５ｍｍ）までフラットパネル５０を下方へ下げる。この図６の状態では、フィルタ載置フレーム６０は大ラッチ６４によって保持されたままの状態で化粧パネル７側（ユニット本体２側）に位置することになる。また、位置決め突部５２は、ガイド部６２にガイドされた状態であり、フラットパネル５０の水平方向の位置が決められている。これにより、化粧パネル７とフラットパネル５０との間に、４方向に吸込口３が表出することになる。このとき、吸込口３から吸い込まれた室内空気Ｗは、図６に示すように、ユニット本体２側に保持されたフィルタ７０を通過して、送風機１１（図１参照）に吸い込まれることになる。
【００３３】
また、図６の運転状態から図４の運転停止状態にするには、昇降機構を用いて、吊紐３１を上方へ巻き上げ、小ラッチ５３をラッチさせる。このときも、Ｌ１寸法はＬ２寸法よりも小さいため、大ラッチ６４が解除されることなく、小ラッチ５３をラッチさせることができる。
【００３４】
他方、図４の運転停止状態から、図７のフィルタの掃除および／または交換時の状態に移行するときの動作について説明する。まず図４の状態から、上述した動作によって図６の運転状態に移行させる。次に、昇降機構を用いて、吊紐３１を上方へ巻き上げ、小ラッチ５３をラッチさせ、さらにＬ２寸法分だけ上方に巻き上げる。これにより、大ラッチ６４のラッチを解除させることができる。そして、昇降機構を用いて、吊紐３１を下方へ繰り出すことにより、図７の状態にすることができる。
【００３５】
このとき、小ラッチ５３はラッチしたままであるため、図７に示すように、フィルタ載置フレーム６０がフラットパネル５０と一緒に下に下がることになる。また、位置決め突部５２もガイド部６２にガイドされたままの状態であるため、フィルタ載置フレーム６０とフラットパネル５０との左右の位置も決められたままである。そして、フィルタ載置フレーム６０とフラットパネル５０との自重は、全て吊紐３１で支持されることになる。
【００３６】
本発明の実施の形態に係る天井埋込型空気調和機によれば、運転停止中にフラットパネル５０と基部４９との間で吸込口３隠す（吸込口３を形成しない）ようにし、運転中にフラットパネル５０を下げて吸込口３を室内側に表出させるようにしたので、運転停止中に化粧パネル７を室内側から見たときに、吸込口３が見えないので、化粧パネル７の全体の意匠性を向上させることができる。また、運転中には、吸込口３から室内空気Ｗを吸い込むことができるので、空調運転に支障がない。
【００３７】
また、吸込口が形成されていない平坦面を有するフラットパネル５０を用いているので、化粧パネル７全体の形状が複雑にならず、運転時及び運転停止時の両時において、化粧パネル７の全体をすっきりした外観にすることができる。さらに、フラットパネル５０の表面５０ａが、天井面６と略平行に配置されているので、化粧パネル７全体の形状が複雑にならず、運転時及び運転停止時の両時において、化粧パネル７の全体をすっきりした外観にすることができる。
【００３８】
さらに、大ラッチ６４でフィルタ載置フレーム６０をユニット本体２側に取り付けたので、フィルタ７０の交換時に、容易にフィルタ７０を取り外すことができる。また、フィルタ載置フレーム６０の自重を大ラッチ６４で支持させることができ、吊紐３１に負荷をかけることがない。
【００３９】
また、フラットパネル５０を吊り下げる吊紐３１と、この吊紐３１を昇降させることによってフラットパネル５０を昇降させる駆動部とを備えているので、吊紐３１を巻き戻したり繰り出したりすることで、フラットパネル５０を容易に上下に昇降させることができる。
【００４０】
以上、本発明を実施するための最良の形態について述べたが、本発明は既述の実施形態に限定されるものではなく、本発明の技術思想に基づいて各種の変形および変更が可能である。
本実施の形態では、小ラッチ５３を設けずに、フィルタ掃除および／または交換時にフィルタ載置フレーム６０がフラットパネルに載置された状態になるようにしてもよい。この場合、フィルタ載置フレーム６０を上方向に押圧する機能と、大ラッチ６４が解除された後のフィルタ載置フレーム６０を支持する機能とを有する押圧支持部を設けることにより発明の目的を達成することができる。
また、フラットパネル５０を吊紐３１によって吊り下げるように記載したが、フラットパネル５０を上下に昇降可能な構成であれば、吊紐３１を使用せずに一般的に使用される公知の技術（例えば、摺動機構、ラックアンドピニオン駆動、ボールねじによる昇降機構など）を適宜使用することができる。
【図面の簡単な説明】
【００４１】
【図１】本発明の実施の形態に係る天井埋込型空気調和機を示す側部断面図である。
【図２】（ａ）は運転停止時の状態を室内側から見た斜視図、（ｂ）は運転中の状態の斜視図、（ｃ）はフィルタ交換時の状態の斜視図である。
【図３】基部、フラットパネル、グリル、及びフィルタを分解して示す分解斜視図である。
【図４】運転停止中のフラットパネルの状態を示す側部断面図である。
【図５】図４のＡ部の拡大図である。
【図６】運転時のフラットパネルの状態を示す側部断面図である。
【図７】フィルタ交換時のフラットパネルの状態を示す側部断面図である。
【符号の説明】
【００４２】
１  天井埋込型空気調和機
２  ユニット本体
３  吸込口
４  吹出口
５  天井穴
６  天井面
７  化粧パネル
１１  送風機
１２  ターボファン
１３  天板
１４  ファン用モータ
１５  ノズル口
１６  ドレンパン
２１  熱交換器
２２  断熱材
２３  導風部
２４  ボルト
３１  吊紐
４９  基部
４９ａ  表面
５０  フラットパネル
５０ａ  表面
５０ｂ  裏面
５１  滑車
５２  位置決め突部
５３  小ラッチ（第２のラッチ機構）
６０  フィルタ載置フレーム
６１  開口部
６２  ガイド部
６３  小ラッチ受け部
６４  大ラッチ（ラッチ機構）
６５  フィルタ支持部
６６  穴部
７０  フィルタ
８１  大ラッチ受け部
８２  穴部
Ｌ１  小ラッチのストローク
Ｌ２  大ラッチのストローク
Ｌ３  運転時の吸込口寸法
Ｗ  室内空気
【図１】
2008209099.tif 000003
【図２】
2008209099.tif 000004
【図３】
2008209099.tif 000005
【図４】
2008209099.tif 000006
【図５】
2008209099.tif 000007
【図６】
2008209099.tif 000008
【図７】
2008209099.tif 000009